(57)【特許請求の範囲】
【請求項１】
除湿剤が袋状に形成された通気性シートに内包されている除湿シートにおいて、除湿剤がＢ型シリカゲルであり、かつ袋状の除湿シートの両側面の表面に２０℃の水中において１〜３００ｍｇ／ｇ／時間の速度でＢ2Ｏ3を溶出する硼酸系ガラスの粉末が有機バインダー中に分散されてなる塗布層が付設されていることを特徴とする防ダニシート。
【発明の詳細な説明】
【技術分野】
【０００１】
本発明は、防ダニシートに関する。
【背景技術】
【０００２】
吸湿剤が通気性シートに内包されている構成の除湿シートは、敷き布団の下に敷いて睡眠中に体外から放出された汗などの水分を吸収させる目的、あるいは布団や衣類などの収納スペース（例：タンス、押入れ）に配置して収納スペースを除湿させる目的に利用されている。この除湿シートは、吸湿剤の吸湿能力が消失した後は、吸湿剤を天日などで乾燥することによって繰り返し使用することができるという利点がある。また、上記の除湿シートは、防ダニ効果があることが知られている。
【０００３】
特許文献１には、シリカゲルなどの吸湿剤が通気性を有するフィルム又は不織布に分割した状態で内包されている除湿シートからなる防ダニ除湿シートが記載されており、この防ダニ除湿シートは、ダニ生息場所及び周辺の湿度を低下させることにより、防ダニ効果を発揮することが記載されている。なお、この特許文献１には、防ダニ効果をより高めたり、持続効果を延ばしたりする場合には、ピレストロイド系化合物、有機リン系化合物、カーバメイト系化合物、キチン合成阻害剤、幼若ホルモン様物質などの有機系の薬剤を配合又は処理して使用してもよい旨の記載がある。
【０００４】
一方、特許文献２には、２０℃の水中において１〜３００ｍｇ／ｇ／時間の速度でＢ2Ｏ3を溶出する硼酸系ガラスの粉末を布団、枕、マットレス等の寝具を構成する繊維又は発泡体の表面に分散させることによって、長期間にわたって安定して防ダニ効果を発揮することが記載されている。
【先行技術文献】
【特許文献】
【０００５】
【特許文献１】特開２００１−２９７３０号公報
【特許文献２】特開平５−３２００１５号公報
【発明の概要】
【発明が解決しようとする課題】
【０００６】
吸湿剤が通気性シートに内包されている構成の除湿シートは、特許文献１に記載されているように、吸湿剤に吸湿能力がある間は防ダニ効果を発揮する。しかしながら本発明者の検討によると、除湿シートの吸湿剤の吸湿能力が消失すると、防ダニ効果も消失し、ダニが急激に増殖するようになる。
従って、本発明の目的は、吸湿剤が通気性シートに内包されている構成の除湿シートからなる防ダニシートであって、吸湿剤の吸湿能力が消失した後であっても長期間にわたって高い防ダニ性を有する防ダニシートを提供することにある。
【課題を解決するための手段】
【０００７】
本発明者は、吸湿剤が通気性シートに内包されている構成の除湿シートの表面に２０℃の水中において１〜３００ｍｇ／ｇ／時間の速度でＢ2Ｏ3を溶出する硼酸系ガラスの粉末が有機バインダー中に分散されてなる塗布層を付設すると、長期間にわたってダニの増殖を抑える効果が持続することを見出し、本発明を完成した。
【０００８】
従って、本発明は、吸湿剤が通気性シートに内包されている除湿シートの表面に、２０℃の水中において１〜３００ｍｇ／ｇ／時間の速度でＢ2Ｏ3を溶出する硼酸系ガラスの粉末が有機バインダー中に分散されてなる塗布層が付設されてなる防ダニシートにある。
【０００９】
本発明の好ましい態様は次の通りである。
（１）吸湿剤がシリカゲルである。
（２）硼酸系ガラスの粉末が、塗布層１ｍ2当たり０．１〜１０ｇの量にて分散されている。
【発明の効果】
【００１０】
本発明の防ダニシートは長期間にわたって高い防ダニ性を発揮する。本発明の防ダニシートを、敷き布団の下に敷いておくことによって、睡眠中に体外から放出された汗などの水分を吸収し、かつ長期間にわたって敷き布団中のダニの増殖を抑えることができる。
【図面の簡単な説明】
【００１１】
【図１】本発明に従う防ダニシートの一例の平面図である（但し、通気性シート２ａの一部を切り欠いている）。
【図２】図１のＡ−Ａ線の切断面を概念的に拡大して表した断面模式図である。
【図３】比較例１と２及び実施例１で作成したサンプルの防ダニ性試験の結果を示すグラフである。
【発明を実施するための形態】
【００１２】
図１に本発明に従う防ダニシートの一例の平面図を、図２に図１のＡ−Ａ線の切断面を概念的に拡大して表した断面模式図を示す。但し、図１では、通気性シート２ａの一部を切り欠いている。
【００１３】
図１及び２において、防ダニシートは、吸湿剤１が升目状に分割された状態で通気性シート２ａ、２ｂの間に内包されている除湿シート３と、除湿シート３の表面に付設された、硼酸系ガラス粉末４が有機バインダー５中に分散されてなる塗布層６とからなる。
【００１４】
吸湿剤１の例としては、シリカゲル、セピオライト、酸化カルシウム、ケイソウ土、活性炭、活性白土、ゼオライト、ホワイトカーボン、塩化カルシウム、塩化マグネシウム、酢酸カリウム、第二リン酸ナトリウム、クエン酸ナトリウム及び吸水性ポリマーを挙げることができる。これらの吸湿剤は一種を単独で使用してもよいし、二種以上を組み合わせて使用してもよい。吸湿剤はシリカゲルであることが好ましく、Ｂ型シリカゲルであることが特に好ましい。
【００１５】
通気性シート２ａ、２ｂの例としては、不織布シート及び柔軟な多孔性樹脂シートを挙げることができる。通気性シートは不織布シートであることが好ましい。
【００１６】
硼酸系ガラス粉末４には、２０℃の水中において１〜３００ｍｇ／ｇ／時間の速度でＢ2Ｏ3を溶出するものを用いる。硼酸系ガラス粉末は、水中あるいは湿度のある大気中において徐々に表面から溶解して、Ｂ2Ｏ3を溶出し、この溶出したＢ2Ｏ3により防ダニ効果を発揮する。硼酸系ガラス粉末の例としては、Ｂ2Ｏ3を主成分とする、Ｂ2Ｏ3−ＳｉＯ2−Ｎａ2Ｏ系のガラス粉末、Ｂ2Ｏ3−Ｎａ2Ｏ−ＲＯ系のガラス粉末（Ｒはアルカリ土類金属）及びＢ2Ｏ3−Ｎａ2Ｏ−Ａｌ2Ｏ3系のガラス粉末を挙げることができる。硼酸系ガラス粉末には、石塚硝子株式会社により製造販売されているセグロセラを使用することができる。
【００１７】
有機バインダー５の例としては、アクリル系バインダー及びウレタン系バインダーを挙げることができる。
【００１８】
塗布層６は、除湿シート３の上下一方の表面にのみ付設してもよいが、上下の両面に付設することが好ましい。塗布層６には、硼酸系ガラス粉末４が１ｍ2当たり０．１〜１０ｇの量にて分散されていることが好ましい。
【００１９】
塗布層６は、例えば、硼酸系ガラス粉末と有機バインダーと、さらに所望により有機バインダーの硬化剤とを含む塗布液を、除湿シートの表面に塗布し、乾燥する方法により付設することができる。
【００２０】
本発明の防ダニシートでは、塗布層６に炭素質材料の粉末を添加したり、塗布層６の下面もしくは上面に、炭素質材料粉末と有機バインダーとを含む塗布層を形成してもよい。この炭素質材料粉末は、除湿シートを黒色に着色して、天日で除湿剤を乾燥させるときの乾燥速度を速める効果がある。炭素質材料粉末の例としては、黒鉛粉末、カーボンブラック粉末、活性炭粉末、備長炭粉末を挙げることができる。
【実施例】
【００２１】
下記のサンプルを用意した。
比較例１：ポリエステル製の不織布シートに、セグロセラ（石塚硝子（株）製）と、ウレタン系バインダーとバインダーの硬化剤とを含む塗布液を、グラビア印刷法により、１ｍ2当たりのセグロセラ含有量が１．０ｇとなるように塗布し、乾燥して作成した、セグロセラが分散された塗布層を有する不織布シートからなる防ダニシートサンプル。
【００２２】
比較例２：比較例１で使用したポリエステル製不織布シートを二枚重ね合わせ、その間にＢ型シリカゲルを入れた後、不織布シートの周縁部を封止して作成した除湿シートからなる防ダニシートサンプル。
【００２３】
実施例１：比較例２と同様にして作成した除湿シートの両側表面のそれぞれに、比較例１で使用したものと同じ塗布液を、グラビア印刷法により、１ｍ2当たりのセグロセラ含有量が１．０ｇとなるように塗布し、乾燥して作成した、セグロセラが分散された塗布層を有する除湿シートからなる防ダニシートサンプル。
【００２４】
上記比較例１と２及び実施例１で作成した各サンプルの防ダニ性を、ＪＩＳ  Ｌ１９２０（２００７年）で規定されている繊維製品の防ダニ性能試験方法（増殖抑制試験Ａ法）に準拠した方法により評価した。すなわち、各サンプルを約５０匹のヤケヒョウヒダニと共に、温度２５℃、相対湿度７５％の環境下にて４週間と６週間静置したときの生きダニ数を計数することにより防ダニ性を評価した。なお、比較例２及び実施例１のサンプルで用いたＢ型シリカゲルの吸湿能力は、２日後にはほぼ消失する。
【００２５】
図３の結果から明らかなように、実施例１のサンプル（Ｂ型シリカゲルが内包され、セグロセラが分散された塗布層を有する防ダニシート）は、比較例１のサンプル（セグロセラが分散された塗布層を有する不織布シートからなる防ダニシート）や比較例２のサンプル（Ｂ型シリカゲルが内包され、セグロセラが分散された塗布層を有しない防ダニシート）と比較して、４週間静置後と６週間静置後のいずれにおいても生きダニ数が最も少ない。これは、実施例１のサンプルでは、Ｂ型シリカゲルの吸湿能力がある間は、Ｂ型シリカゲルによる除湿効果とセグロセラの防ダニ効果が相乗的に作用することによって、比較例１のサンプルや比較例２のサンプルよりもダニの増殖が強く抑えられ、一方、Ｂ型シリカゲルの吸湿能力が消失した後には、セグロセラの防ダニ効果によってダニの増殖抑制効果が維持されるためであると理解される。
【符号の説明】
【００２６】
１  吸湿剤
２ａ、２ｂ  通気性シート
３  除湿シート
４  硼酸系ガラス粉末
５  有機バインダー
６  塗布層
【図１】
0005620750.tif 000002
【図２】
0005620750.tif 000003
【図３】
0005620750.tif 000004